(57)【要約】【課題】状況に応じて複数の計測姿勢から特定の計測姿勢を選択して心電波形の計測が行なえるように計測姿勢の自由度が高められた携帯型心電計を提供する。【解決手段】携帯型心電計１Ａは、負電極が設けられた本体ユニット１００と、正電極が設けられた着脱ユニット１１０とを備え、着脱ユニット１１０は、本体ユニット１００に対して着脱自在に取付けられる。本体ユニット１００に着脱ユニット１１０を合体させた状態において負電極および正電極はいずれも露出している。本携帯型心電計１Ａにおいては、本体ユニット１００に着脱ユニット１１０を合体させた状態および本体ユニット１００から着脱ユニット１１０を分離させた状態のいずれにおいても心電波形の計測が可能である。【選択図】図８
2007209609.tif 000002
【特許請求の範囲】
【請求項１】
第１の電極が設けられた第１のユニットと、第２の電極が設けられた第２のユニットとを備え、体表面に接触させた前記第１および第２の電極間において生じる電位差を計測することによって心電波形を得る携帯型心電計であって、
前記第２のユニットは、前記第１のユニットに対して着脱自在に取付けられ、
前記第１のユニットに前記第２のユニットを合体させた状態において、前記第１の電極および前記第２の電極のいずれもが露出し、
心電波形を得るための電位差の計測が、前記第１のユニットに前記第２のユニットを合体させた状態および前記第１のユニットから前記第２のユニットを分離させた状態のいずれにおいても前記第１および第２の電極間において可能である、携帯型心電計。
【請求項２】
第１の電極が設けられた第１のユニットと、第２の電極および第３の電極が設けられた第２のユニットとを備え、体表面に接触させた前記第１および第２の電極間または体表面に接触させた前記第３および第２の電極間のいずれかにおいて生じる電位差を計測することによって心電波形を得る携帯型心電計であって、
前記第２のユニットは、前記第１のユニットに対して着脱自在に取付けられ、
前記第１のユニットに前記第２のユニットを合体させた状態において、前記第１の電極および前記第２の電極が露出するとともに、前記第３の電極が前記第１のユニットによって覆われ、
前記第１のユニットから前記第２のユニットを分離させた状態において、前記第１の電極、前記第２の電極および前記第３の電極のいずれもが露出し、
心電波形を得るための電位差の計測が、前記第１のユニットに前記第２のユニットを合体させた状態において前記第１および第２の電極間において可能であり、前記第１のユニットから前記第２のユニットを分離させた状態において前記第３および第２の電極間において可能である、携帯型心電計。
【請求項３】
前記第１の電極および前記第３の電極のうちのいずれを心電波形を得るための電極として使用するかを切り替える切替え手段を有している、請求項２に記載の携帯型心電計。
【請求項４】
前記切替え手段は、前記第１のユニットから前記第２のユニットを分離させる動作および前記第１のユニットに前記第２のユニットを合体させる動作の少なくともいずれか一方に連動して切替え動作を行なう、請求項３に記載の携帯型心電計。
【請求項５】
測定結果を表示するための表示部が、前記第１のユニットに設けられている、請求項１から４のいずれかに記載の携帯型心電計。
【請求項６】
心電波形の計測を開始する測定ボタンが、前記第１のユニットおよび前記第２のユニットのいずれにも設けられている、請求項１から５のいずれかに記載の携帯型心電計。
【請求項７】
前記第１のユニットおよび前記第２のユニットが接続ケーブルによって接続され、
前記接続ケーブルを巻き取って収容するための巻き取り手段が前記第１のユニットまたは前記第２のユニットのいずれかに設けられている、請求項１から６のいずれかに記載の携帯型心電計。
【請求項８】
前記第１のユニットおよび前記第２のユニットからなる装置本体は、前記第１のユニットに前記第２のユニットを合体させた状態において略直方体形状を有し、
前記第２の電極は、前記装置本体の長手方向の一方の端面に設けられている、請求項１から７のいずれかに記載の携帯型心電計。
【請求項９】
前記第１の電極は、右手に接触させるための電極であり、
前記第２の電極は、胸部に接触させるための電極である、請求項１から８のいずれかに記載の携帯型心電計。
【請求項１０】
生体への装着を可能にする装着手段が、前記第１のユニットに設けられている、請求項１から９のいずれかに記載の携帯型心電計。
【請求項１１】
前記装着手段は、手首に巻き付けるための巻き付け部材からなる、請求項１０に記載の携帯型心電計。
【発明の詳細な説明】
【技術分野】
【０００１】
本発明は、持ち運びが可能で心電波形を容易に計測することが可能な携帯型心電計に関する。
【背景技術】
【０００２】
一般に、不整脈や、狭心症や心筋梗塞等の虚血性心疾患の診断には、患者の心電図が利用される。心電図を得るために利用される心電計としては、種々の構成のものが知られている。その一つに、持ち運びが可能で測定すべき自覚症状が発生した場合に被験者自らが電極を身体に接触させることによって心電波形の計測および記憶を可能にする携帯型心電計が知られている。この携帯型心電計は、イベント式心電計に分類され、患者の身体に予め電極を装着させておき、日常生活を送りながら連続的に心電波形を計測・記録するホルター式心電計と区別されるものである。
【０００３】
このような携帯型心電計が開示された文献として、たとえば特開２００５−４０１８７号公報（特許文献１）や特開２００５−１８５７５６号公報（特許文献２）などがある。上記特許文献１に開示の携帯型心電計は、扁平かつ細長の略直方体形状の装置本体の長手方向の一方端に位置する端面に、主として腹部の第５肋間前腋窩線上の皮膚に接触させるための電極が設けられ、上記一方端と反対側に位置する端面を含むグリップ部に、主として上記グリップ部を把持した右手に接触させるための電極が設けられ、これら一対の電極間に生じる電位差を計測することによって心電波形を得るものである。また、上記特許文献２に開示の携帯型心電計は、装置本体の外表面に設けられた電極と、装置本体から接続ケーブルによって外部へと引き出された電極とを、主として腹部の第５肋間前腋窩線上の皮膚と右手とにそれぞれ接触させ、これら一対の電極間に生じる電位差を計測することによって心電波形を得るものである。
【特許文献１】特開２００５−４０１８７号公報
【特許文献２】特開２００５−１８５７５６号公報
【発明の開示】
【発明が解決しようとする課題】
【０００４】
携帯型心電計は、上述のように動悸や息切れといった測定すべき自覚症状が発生したときに被験者自らが電極を身体に接触させることによって心電波形の計測を行なうものである。したがって、可能な限り素早くかつ容易に計測姿勢を取り得るように考慮されていることが重要である。上記特許文献１および２に開示の携帯型心電計は、それぞれに使い勝手がよくなるように検討されてはいるものの、それぞれの携帯型心電計において計測姿勢が概ね一意に決まっていることから、計測姿勢の選択の自由度はあまり大きくないものと言える。したがって、このような観点からは未だ改良の余地があり、状況に応じて複数の計測姿勢から特定の計測姿勢を選択して心電波形の計測が行なえるように計測姿勢の自由度を高めることが必要である。
【０００５】
したがって、本発明は、上述の問題点を解決すべくなされたものであり、状況に応じて複数の計測姿勢から特定の計測姿勢を選択して心電波形の計測が行なえるように計測姿勢の自由度が高められた携帯型心電計を提供することを目的とする。
【課題を解決するための手段】
【０００６】
本発明の第１の局面に基づく携帯型心電計は、第１の電極が設けられた第１のユニットと、第２の電極が設けられた第２のユニットとを備え、体表面に接触させた上記第１および第２の電極間において生じる電位差を計測することによって心電波形を得るものである。上記第２のユニットは、上記第１のユニットに対して着脱自在に取付けられる。上記第１の電極および上記第２の電極は、上記第１のユニットに上記第２のユニットを合体させた状態においていずれも露出する。そして、心電波形を得るための電位差の計測が、上記第１のユニットに上記第２のユニットを合体させた状態および上記第１のユニットから上記第２のユニットを分離させた状態のいずれにおいても上記第１および第２の電極間において可能である。
【０００７】
このように構成することにより、第１のユニットに第２のユニットを合体させた状態と第１のユニットから第２のユニットを分離させた状態の少なくとも２つの状態にて、第１および第２の電極間に生じる電位差を計測することにより、心電波形を得ることが可能になる。したがって、状況に応じてこれら複数の計測姿勢から特定の計測姿勢を被験者自らが選択できるようになるため、測定すべき自覚症状が発生した場合に素早くかつ容易に心電波形を計測することが可能になる。このため、取扱い性に優れた携帯型心電計とすることができる。
【０００８】
本発明の第２の局面に基づく携帯型心電計は、第１の電極が設けられた第１のユニットと、第２の電極および第３の電極が設けられた第２のユニットとを備え、体表面に接触させた上記第１および第２の電極間または体表面に接触させた上記第３および第２の電極間のいずれかにおいて生じる電位差を計測することによって心電波形を得るものである。上記第２のユニットは、上記第１のユニットに対して着脱自在に取付けられる。上記第１の電極および上記第２の電極は、上記第１のユニットに上記第２のユニットを合体させた状態において露出し、上記第３の電極は、上記第１のユニットに上記第２のユニットを合体させた状態において上記第１のユニットによって覆われる。また、上記第１の電極、上記第２の電極および上記第３の電極は、上記第１のユニットから上記第２のユニットを分離させた状態においていずれも露出する。そして、心電波形を得るための電位差の計測が、上記第１のユニットに上記第２のユニットを合体させた状態において上記第１および第２の電極間において可能であり、上記第１のユニットから上記第２のユニットを分離させた状態において上記第３および第２の電極間において可能である。
【０００９】
このように構成することにより、第１のユニットに第２のユニットを合体させた状態と、第１のユニットから第２のユニットを分離させた状態の少なくとも２つの状態にて、第１および第２の電極間または第３および第２の電極間に生じる電位差を計測することにより、心電波形を得ることが可能になる。したがって、状況に応じてこれら複数の計測姿勢から特定の計測姿勢を被験者自らが選択できるようになるため、測定すべき自覚症状が発生した場合に素早くかつ容易に心電波形を計測することが可能になる。このため、取扱い性に優れた携帯型心電計とすることができる。
【００１０】
上記本発明に基づく携帯型心電計にあっては、上記第１の電極および上記第３の電極のうちのいずれを心電波形を得るための電極として使用するかを切り替える切替え手段が設けられていることが好ましい。また、その場合に、上記切替え手段が、上記第１のユニットから上記第２のユニットを分離させる動作および上記第１のユニットに上記第２のユニットを合体させる動作の少なくともいずれか一方に連動して切替え動作を行なうように構成されていることが好ましい。
【００１１】
このように構成することにより、第１および第３の電極のうち、心電波形の計測に利用しない方の電極を処理回路から切り離すことが可能になる。したがって、ノイズの重畳等が防止されることになり、高精度の測定が可能になる。また、上記切替え手段の切替え動作を、被験者が行なう第１ユニットからの第２ユニットの取り外し動作または第１ユニットへの第２ユニットの取付け動作に連動させることにより、煩雑な切替え作業を被験者に強いることがなくなるとともに、電極の切替えが確実に行なわれるようになる。したがって取扱い性に優れた携帯型心電計とすることができる。
【００１２】
上記本発明に基づく携帯型心電計にあっては、測定結果を表示するための表示部が上記第１のユニットに設けられていることが好ましい。
【００１３】
このように構成することにより、特に、第１のユニットから第２のユニットを分離させた状態での計測姿勢を被験者が選択した場合に、表示部の視認性が向上するようになる。したがって、上記計測姿勢を選択した場合に測定しながらの表示部の確認が容易に行なえるようになるため、被験者の操作ミスに起因するデータ取りの失敗を未然に防止することができる。
【００１４】
上記本発明に基づく携帯型心電計にあっては、心電波形の計測を開始する測定ボタンが上記第１のユニットおよび上記第２のユニットの両方に設けられていることが好ましい。
【００１５】
このように構成することにより、第１ユニットに設けられた測定ボタンと第２ユニットに設けられた測定ボタンのうち、操作し易い方の測定ボタンを被験者自らが選択して操作することが可能になるため、第１のユニットに第２のユニットを合体させた状態と第１のユニットから第２のユニットを分離させた状態の双方において取扱い性が大幅に向上する。
【００１６】
上記本発明に基づく携帯型心電計において、上記第１のユニットと上記第２のユニットとを接続ケーブルにて接続した場合には、上記接続ケーブルを巻き取って収容するための巻き取り手段を上記第１のユニットまたは上記第２のユニットのいずれかに設けることが好ましい。
【００１７】
このように、第１のユニットと第２のユニットとを有線接続する場合に上記構成の如く接続ケーブルの巻き取り手段を第１のユニットまたは第２のユニットのいずれかに設ければ、第１のユニットから第２のユニットを取り外す際および第１のユニットに第２のユニットを取付ける際の接続ケーブルの取扱い性が飛躍的に向上するようになる。
【００１８】
上記本発明に基づく携帯型心電計にあっては、上記第１のユニットおよび上記第２のユニットからなる装置本体が、上記第１のユニットに上記第２のユニットを合体させた状態において略直方体形状を有していることが好ましく、その場合に、上記第２の電極が、上記装置本体の長手方向の一方の端面に設けられていることが好ましい。その場合に、上記第１の電極が右手に接触させるための電極であり、上記第２の電極が胸部に接触させるための電極であることが好ましい。
【００１９】
このように構成することにより、第１のユニットに第２のユニットを合体させた状態において第１の電極と第２の電極とが装置本体の長手方向の反対側にそれぞれ位置することになるため、被験者が計測姿勢をとった場合に第１および第２の電極をそれぞれ所定の測定部位に容易に接触させることができるようになる。
【００２０】
上記本発明に基づく携帯型心電計にあっては、生体への装着を可能にする装着手段が上記第１のユニットに設けられていることが好ましい。特に、その場合には、上記装着手段が手首に巻き付けるための巻き付け部材であることが好ましい。
【００２１】
このように構成することにより、携行性に優れた携帯型心電計とできるため、常時、携帯型心電計を装着しておくことにより、測定すべき自覚症状が発生した場合に速やかに計測姿勢をとることができるようになる。
【発明の効果】
【００２２】
本発明によれば、状況に応じて複数の計測姿勢から特定の計測姿勢を選択して心電波形の計測が行なえるように計測姿勢の自由度が高められた携帯型心電計とすることができる。したがって、測定すべき自覚症状が発生した場合に、素早くかつ容易に心電波形の計測が可能な使い勝手のよい携帯型心電計とすることができる。
【発明を実施するための最良の形態】
【００２３】
以下、本発明の実施の形態について、図を参照して詳細に説明する。
（実施の形態１）
図１および図２は、本発明の実施の形態１における携帯型心電計において、本体ユニットと着脱ユニットとを合体させた状態を示す斜視図である。また、図３ないし図７は、本実施の形態における携帯型心電計において、本体ユニットと着脱ユニットとを合体させた状態における正面図、上面図、下面図、右側面図および左側面図である。また、図８は、本実施の形態における携帯型心電計において、本体ユニットから着脱ユニットを取り外した状態を示す正面図である。
【００２４】
まず、本体ユニットに着脱ユニットを合体させた状態における携帯型心電計の外観構造について説明する。図１ないし図７に示すように、本実施の形態における携帯型心電計１Ａは、取り扱い性に優れたものとなるように、片手で保持することが可能な大きさおよび重さにまで小型軽量化されている。携帯型心電計１Ａの装置本体は、第１のユニットとしての本体ユニット１００と、第２のユニットとしての着脱ユニット１１０とを備えている。着脱ユニット１１０は、本体ユニット１００に対して着脱自在に取付けられる。
【００２５】
本体ユニット１００は、図中矢印Ａ方向に延びる扁平な細長の略直方体形状の外形を有しており、その外表面（正面１０１、背面１０２、上面１０３、下面１０４、右側面１０５および左側面１０６（左側面１０６については図８参照））に表示部や操作部、電極等が配置されている。また、着脱ユニット１１０は、扁平な略直方体形状の外形を有しており、その外表面（正面１１１、背面１１２、上面１１３、下面１１４、右側面１１５および左側面１１６（上面１１３、下面１１４および右側面１１５については図８参照））に電極等が配置されている。
【００２６】
図１ないし図７に示すように、本体ユニット１００に着脱ユニット１１０を合体させた状態においては、本体ユニット１００の左側面１０６に設けられた収容部１０８（図８参照）に着脱ユニット１１０が収容されることにより、全体として携帯型心電計１Ａの装置本体の外形が図中矢印Ａ方向に細長に延びる扁平な略長方体形状となるように構成されている。なお、この状態において、着脱ユニット１１０は本体ユニット１００に後述する係止手段によって係止されており、本体ユニット１００の左側面１０６と着脱ユニット１１０の右側面１１５とは対面した状態となっている。
【００２７】
図１ないし図３に示すように、本体ユニット１００の正面１０１の所定位置には、測定ボタン１４２が設けられている。この測定ボタン１４２は、心電波形の計測を開始させるための操作ボタンである。また、本体ユニット１００の正面１０１の所定位置には、表示部１４８が設けられている。この表示部１４８は、たとえば液晶ディスプレイ等によって構成され、測定結果等を表示する部位である。測定結果は、たとえば図１１および図１２に示すように、心電波形や数値データとして表示される。一方、着脱ユニット１１０の正面１１１の左側面１１６寄りの端部には、後述する正電極１２２を体表面に押し当てる際の目印となるアライメントマーク１１８が設けられている。
【００２８】
図１および図４に示すように、本体ユニット１００の上面１０３の所定位置には、電源ボタン１４１が配置されている。電源ボタン１４１は、携帯型心電計１Ａのオン／オフを操作するための操作ボタンである。また、本体ユニット１００の上面１０３の所定位置には、開閉カバー１３０が設けられている。この開閉カバー１３０は、外部記憶媒体を挿入するためのスロットを閉状態において覆い隠すように設けられたものであり、本体ユニット１００に対して開閉自在に取付けられている。なお、収容部１０８に隣接する部分の本体ユニット１００の上面１０３には、リリースボタン１０７Ａが設けられている。このリリースボタン１０７Ａは、本体ユニット１００から着脱ユニット１１０を取り外す際に操作するボタンである。
【００２９】
図２および図５に示すように、本体ユニット１００の下面１０４の所定位置には、各種操作ボタンが配置されている。図示する携帯型心電計１Ａにおいては、メニューボタン１４３、決定ボタン１４４、左スクロールボタン１４５および右スクロールボタン１４６が配置されている。メニューボタン１４３は、携帯型心電計１Ａにおいて表示部１４８にメニューの表示を指示するための操作ボタンであり、決定ボタン１４４は、表示部１４８に表示された情報に関する設定動作を実行させるための操作ボタンである。そして、左スクロールボタン１４５および右スクロールボタン１４６は、表示部１４８に表示される測定結果のグラフやガイド情報等をスクロールして表示させるための操作ボタンである。なお、収容部１０８に隣接する部分の本体ユニット１００の下面１０４には、上述の上面１０３と同様に、リリースボタン１０７Ｂが設けられている。リリースボタン１０７Ｂは、本体ユニット１００から着脱ユニット１１０を取り外す際に操作するボタンである。
【００３０】
図１および図６に示すように、装置本体の長手方向（図中矢印Ａ方向）の一方端に位置する本体ユニット１００の右側面１０５には、第１の電極である負電極１２１と、身体の電位変化の基準となる電位を導出するための不関電極（中正電極）１２４とが配置されている。この右側面１０５は、後述する計測姿勢を被験者がとった際に被験者の右手の人差し指がフィットするように滑らかに湾曲した形状となっている。さらに、この右側面１０５には、上下方向に向かって延びる凹部１０５ａが形成されている。この凹部１０５ａは、被験者の右手の人差し指を受入れる形状となっている。
【００３１】
上述の負電極１２１および不関電極１２４は、導電性部材にて形成されており、本体ユニット１００の内部に設けられた処理回路１５０（図９参照）に電気的に接続されている。また、負電極１２１および不関電極１２４は、本体ユニット１００の右側面１０５に設けられた凹部１０５ａ内において、その表面が本体ユニット１００の外表面に露出した状態となるように配置されている。なお、負電極１２１は、右側面１０５の上面１０３寄りに位置しており、不関電極１２４は、右側面１０５の下面１０４寄りに位置している。
【００３２】
図２および図７に示すように、装置本体の長手方向（図中矢印Ａ方向）の他方端に位置する着脱ユニット１１０の左側面１１６には、第２の電極である正電極１２２が設けられている。この正電極１２２は、導電性部材にて形成されており、本体ユニット１００の内部に設けられた処理回路（図９参照）に後述する接続ケーブル１７０（図８参照）を介して電気的に接続されている。また、正電極１２２は、着脱ユニット１１０の左側面１１６の略中央部に設けられており、その表面が着脱ユニット１１０の外表面から僅かに突出して位置するように構成されている。
【００３３】
次に、本体ユニットから着脱ユニットを分離させた状態における外観構造について説明する。図８に示すように、着脱ユニット１１０は、本体ユニット１００から分離可能に構成されており、分離した状態においては、着脱ユニット１１０が本体ユニット１００に設けられた収容部１０８から取り外された状態となる。
【００３４】
本体ユニット１００の収容部１０８には、係止突部１０７ａ，１０７ｂが設けられている。この係止突部１０７ａ，１０７ｂは、図示しないリンク機構を介して上述のリリースボタン１０７Ａ，１０７Ｂにそれぞれ接続されている。係止突部１０７ａ，１０７ｂは、本体ユニット１００に着脱ユニット１１０を合体させた状態において、着脱ユニット１１０の上面１１３および下面１１４に設けられた係止凹部１１３ａ，１１４ａにそれぞれ係合している。すなわち、係止突部１０７ａ，１０７ｂおよび係止凹部１１３ａ，１１４ａは、本体ユニット１００の収容部１０８に着脱ユニット１１０が収容された状態において、これら本体ユニット１００および着脱ユニット１１０間における合体状態を維持する係止手段として機能するものである。
【００３５】
係止突部１０７ａ，１０７ｂは、リリースボタン１０７Ａ，１０７Ｂを操作することによって図中矢印Ｂ方向に向けて移動するように構成されている。したがって、本体ユニット１００から着脱ユニット１１０を分離するに際しては、リリースボタン１０７Ａ，１０７Ｂを被験者が操作することにより、このリリースボタン１０７Ａ，１０７Ｂの操作に連動して係止突部１０７ａ，１０７ｂがそれぞれ本体ユニット１００の内部に収容されることになり、これによって係止突部１０７ａ，１０７ｂの係止凹部１１４ａ，１１５ａに対する係止が解除され、着脱ユニット１１０が本体ユニット１００から取り外し可能になる。
【００３６】
なお、係止突部１０７ａ，１０７ｂは、付勢バネ等の付勢手段によって本体ユニット１００の外表面から突出する方向に向けて常時付勢されていることが好ましい。このように構成すれば、本体ユニット１００に対する着脱ユニット１１０の着脱が容易に行なえるようになる。
【００３７】
また、図８に示すように、本体ユニット１００と着脱ユニット１１０とは、接続ケーブル１７０によって有線接続されている。接続ケーブル１７０は、本体ユニット１００の内部に設けられた処理回路（図９参照）と、着脱ユニット１１０に設けられた正電極１２２とを電気的に接続するための接続部材であり、その一端が本体ユニット１００の内部に設けられたリール１８０に固定されており、他端が着脱ユニット１１０に固定されている。リール１８０は、本体ユニット１００の内部において図中矢印Ｃ方向に回転自在となるように設置されている。したがって、接続ケーブル１７０は、リール１８０が回転することにより、本体ユニット１００から引き出されたり、あるいは本体ケーシング１００の内部に引き込まれたりする。
【００３８】
なお、リール１８０は、付勢バネ等の付勢手段によって接続ケーブル１７０の巻き取り方向に常時付勢されていることが好ましい。このように構成すれば着脱ユニット１１０を本体ユニット１００に装着する際にスムーズに接続ケーブル１７０を巻き取ることができる。また、接続ケーブル１７０としては、上述の巻き取りの観点や取り扱い性の観点から柔軟性に富んだ配線を利用することが好ましい。
【００３９】
図９は、本実施の形態における携帯型心電計の機能ブロック図である。次に、この図を参照して、本実施の形態における携帯型心電計の機能ブロックについて説明する。
【００４０】
図９に示すように、本実施の形態における携帯型心電計１Ａは、電極部１２０、操作部１４０および処理回路１５０を主に備えている。電極部１２０は、上述の負電極１２１、正電極１２２および不関電極１２４によって構成される。操作部１４０は、上述の電源ボタン１４１、測定ボタン１４２、メニューボタン１４３、決定ボタン１４４、左スクロールボタン１４５および右スクロールボタン１４６によって構成される。
【００４１】
処理回路１５０は、電極部１２０によって検知された生体電気信号を心電波形として測定するように処理するための回路を内蔵しており、電極部１２０によって検知された生体電気信号を増幅するアンプ回路１５１と、電極部１２０によって検知された生体電気信号からノイズ成分を除去するフィルタ回路１５２と、アナログ信号をデジタル信号に変換するＡ／Ｄ（Analog/Digital）コンバータ１５３と、各種演算を行なうＣＰＵ（Central Processing Unit）１５４と、心電情報を記憶するＲＯＭ（Read Only Memory）やＲＡＭ（Random Access Memory）を有するメモリ１５５と、計時動作して計時した時間データをＣＰＵ１５４に出力するタイマ１５６とを備える。ここで、アンプ回路１５１は、不関電極１２４の出力電圧信号に基づき負電極１２１と正電極１２２の出力電圧信号（生体電気信号）を差動増幅して出力する。また、フィルタ回路１５２は、たとえば０．５Ｈｚ〜３５Ｈｚの通過帯域を有するバンドパスフィルタ（Band Pass Filter）が利用される。
【００４２】
処理回路１５０には、上述の電極部１２０および操作部１４０が接続され、これに加えてさらに表示部１４８および電源１６０が接続される。また、外部記憶媒体を挿入するためのスロットに外部記憶媒体が挿入された状態においては、この外部記憶媒体１３２も処理回路１５０に接続されることになる。
【００４３】
ＣＰＵ１５４は、Ａ／Ｄコンバータ１５３から入力されるデジタル信号の解析処理を実行し、また、操作部１４０に含まれる各種操作ボタンからの指令信号を受信し、受信した指令信号に応じた処理を実行する。さらに、ＣＰＵ１５４は、メモリ１５５への情報の書き込みおよび読み出しを実行し、また、表示部１４８への表示制御を行なう。
【００４４】
図１０は、本実施の形態における携帯型心電計で行なわれる処理の流れを示すフローチャートである。以下においては、この図を参照して、本実施の形態における携帯型心電計での処理の流れについて説明する。
【００４５】
図１０においてフローチャートに示す処理は、予めプログラムとしてメモリ１５５のＲＯＭ内に格納されており、ＣＰＵ１５４がこのプログラムを読み出して実行することにより、上記処理の実行が行なわれる。
【００４６】
図１０に示すように、被験者によって電源ボタン１４１が押下されて携帯型心電計１Ａに電源が投入されると、まず機器の動作チェックが行なわれ（ステップＳ１）、次に表示部１４８に測定ガイドが表示される（ステップＳ２）。この測定ガイドの表示としては、たとえば被験者に計測の際にとるべき計測姿勢をガイダンスとして表示するメッセージ等が採用される。計測姿勢については、後述することとする。
【００４７】
つづいて、被験者が所定の計測姿勢をとりつつ測定ボタン１４２を押下することにより、心電波形の計測および解析が実行される（ステップＳ３およびＳ４）。Ａ／Ｄコンバータ１５３によりデジタル信号化された心電波形は、メモリ１５５のＲＡＭ内に一時的に記録される。ここで、心電波形の解析とは、デジタル信号化された心電波形より、不整脈や心筋の虚血等を示す形状的特徴の有無、徐脈や頻脈等を示す周期的特徴の有無、ノイズや基線変動等による解析不能な波形の有無等を検出し、検出結果を分析する処理である。なお、心電波形の計測および解析は、公知の手順により行なわれる。
【００４８】
波形解析の結果、得られた心電波形が安定していたか否かの判断が成され（ステップＳ５）、波形が安定していると判断された場合（ステップＳ５においてＹＥＳ）には、ステップＳ６に移行し、表示部１４８において計測波形、心拍数、波形の解析結果に基づくメッセージ等の表示を行なう。ステップＳ６においては、ＣＰＵ１５４が心電波形の解析結果をメッセージに編集し、これを表示部１４８に表示する。この際、メッセージとともに単位時間当たりの心拍数も表示される。心拍数は、心電波形に基づき公知の手順で得ることができる。ステップＳ６の処理が終了すると、ステップＳ７へと移行する。一方、心電波形が安定していないと判断された場合（ステップＳ６においてＮＯ）には、ステップＳ８に移行し、波形の解析が不可であった旨の表示を行なうとともに、測定データを保存するか否かのメッセージを表示する（ステップＳ９）。
【００４９】
ステップＳ９においては、波形の解析が不可であった旨のメッセージに応じて被験者が測定データの保存を選択したか否かが判断され、測定データの保存が選択された場合（ステップＳ９においてＹＥＳ）には、ステップＳ７へと移行する。一方、測定データの破棄が選択された場合（ステップＳ９においてＮＯ）には、ステップＳ１０へと移行する。
【００５０】
ステップＳ７においては、ＣＰＵ１５４が測定データを保存する処理を行なう。すなわち、ＣＰＵ１５４は、タイマ１５６から入力された現在の日時データ、ＲＡＭに一時格納されていた心電波形データおよび解析結果を対応付けて、これらをメモリ１５５の所定の記憶領域に格納する。また、ステップＳ１０においては、ＣＰＵ１５４が測定データの破棄を行なう。
【００５１】
以上の一連の処理が携帯型心電計１Ａにおいて実施されることにより、携帯型心電計１Ａによる心電波形の計測および記憶が可能になる。なお、本実施の形態における携帯型心電計１Ａは、上記ステップＳ７において保存された心電波形の計測結果および解析結果を読出して表示部１４８に表示する機能を備えている。
【００５２】
図１１および図１２は、本実施の形態における携帯型心電計の表示部における計測結果の表示例を示す図である。以下においては、これらの図を参照して、本実施の形態における携帯型心電計の表示例について説明する。
【００５３】
図１１に示すように、表示部１４８においては、表示開始時点で画面の下段部に全測定期間にわたる全体波形の縮小波形１６２が表示され、その上段部に測定開始時からたとえば２秒間の拡大波形１６４が表示される。また、縮小波形１６２の下方には、縮小波形１６２に近接して測定期間の長さを示すスケールバー１６５が表示される。スケールバー１６５上には、拡大波形１６４が測定期間のどのあたりの波形であるかを指示するためのポインタ１６６が表示される。全測定期間のどのあたりの波形を拡大波形１６４として表示するかを変更するためには、上述の右スクロールボタン１４６と左スクロールボタン１４５を操作してポインタ１６６をスケールバー１６５上にて移動させることによって行なう。これにより、拡大波形１６４は、全測定期間のうちの任意の２秒単位で表示が可能である。
【００５４】
また、被験者が図１１の画面で心電波形を確認した後に決定ボタン１４４を押下すると、ＣＰＵ１５４は表示中の心電波形に対応した解析結果のデータをメモリ１５５から読出してメッセージに編集し、編集したメッセージを表示部１４８に例えば図１２のように表示する。
【００５５】
以上において説明した本実施の形態における携帯型心電計１Ａにおいては、装置本体が本体ユニット１００と着脱ユニット１１０とに分割され、着脱ユニット１１０が本体ユニット１００に対して着脱自在に取付けられる。したがって、本体ユニット１００に対して着脱ユニット１１０が装着された状態と、本体ユニット１００から着脱ユニット１１０が取り外された状態との２状態を取り得ることになる。そして、本実施の形態における携帯型心電計１Ａにあっては、上述の２状態のいずれにおいても心電波形の計測を可能にしている。
【００５６】
具体的には、図１ないし図７に示す本体ユニット１００に着脱ユニット１１０が合体した状態と図８に示す本体ユニット１００から着脱ユニット１１０が分離した状態のいずれの状態においても、負電極１２１および不関電極１２４が装置本体の外表面（本体ユニット１００の露出した右側面１０５）において露出した状態となっており、また正電極１２２が装置本体の外表面（着脱ユニット１１０の露出した左側面１１６）において露出した状態となっている。したがって、これら負電極１２１、正電極１２２および不関電極１２４を体表面に接触させることにより、本体ユニット１００に着脱ユニット１１０を合体させた状態と本体ユニット１００から着脱ユニット１１０を分離させた状態のいずれにおいても負電極１２１と正電極１２２との間に生じる電位差を計測することによって心電波形の計測が可能に構成されている。
【００５７】
図１３および図１４は、本実施の形態における携帯型心電計において、本体ユニットに着脱ユニットが合体した状態で心電波形を計測する場合に被験者がとるべき計測姿勢を示す図であり、図１５は、上記計測姿勢を被験者がとった場合の被験者の右手による把持状態を示す図である。以下においては、これらの図を参照して、本実施の形態における携帯型心電計において本体ユニットに着脱ユニットが合体した状態で心電波形を計測する場合に被験者がとるべき計測姿勢および計測動作について説明する。
【００５８】
図１３および図１４に示すように、被験者２００は、本体ユニット１００に着脱ユニット１１０が合体してなる装置本体の一方端寄りの部分（本体ユニット１００の右側面１０５寄りの部分）を右手２１０で把持しつつ、装置本体の他方端（着脱ユニット１１０の左側面１１６）に設けられた正電極１２２を胸部２５０の左側下部に位置する第５肋間前腋窩線上の皮膚に着脱ユニット１１０に設けられたアライメントマーク１１８を目印にして直接接触させる。そして、右手２１０の親指２１１にて本体ユニット１００の正面１０１に設けられた測定ボタン１４２を押下する。測定ボタン１４２を押下した後は、心電波形の計測が終了するまでの間、右手２１０で装置本体の上記一方端寄りの部分を把持して装置本体の上記他方端を胸部２５０の上記位置に押し当てた状態を維持する。
【００５９】
このとき、図１５に示すように、被験者２００は、携帯型心電計１Ａの装置本体の正面が上方を向くように本体ユニット１００を右手２１０で把持するとともに、装置本体の右側面である本体ユニット１００の右側面１０５に右手２１０の人差し指２１２を宛がい、右手２１０の親指２１１を本体ユニット１００の正面１０１に押し当てかつ右手２１０の中指を本体ユニット１００の背面１０２に押し当てて、本体ユニット１００を上下方向から挟み込むように把持する。ここで、右手２１０の人差し指２１２は、本体ユニット１００の湾曲した右側面１０５に沿うように軽く曲げて右側面１０５に設けられた凹部１０５ａ内に挿入し、凹部１０５ａ内に設けられた負電極１２１および不関電極１２４に接触させた状態とする。
【００６０】
以上の計測姿勢をとることにより、携帯型心電計１Ａの本体ユニット１００の右側面１０５に位置する負電極１２１および不関電極１２４が被験者２００の右手２１０の人差し指２１２に接触し、着脱ユニット１１０の左側面１１６に位置する正電極１２２が被験者２００の胸部２５０に接触した状態となる。これにより、負電極１２１および不関電極１２４に接触した右手２１０、胸部２５０に非接触の前腕２２０、同じく胸部２５０に非接触の上腕２３０、右肩２４０、正電極１２２が押圧された胸部２５０の順で、被験者２００の身体に心電波形を計測するための回路が構成されるようになる。したがって、上記計測姿勢を維持することによって心電波形の計測が可能になる。なお、上記図１３および図１４においては、起立した姿勢にて計測を行なう場合を図示しているが、横臥姿勢や着座姿勢にて計測を行なうこととしてもよい。
【００６１】
図１６および図１７は、本実施の形態における携帯型心電計において、本体ユニットから着脱ユニットを分離した状態で心電波形を計測する場合に被験者がとるべき計測姿勢を示す図であり、図１８は、上記計測姿勢を被験者がとった場合の被験者の左手による着脱ユニットの把持状態を示す図である。以下においては、これらの図を参照して、本実施の形態における携帯型心電計において本体ユニットから着脱ユニットを分離した状態で心電波形を計測する場合に、被験者がとるべき計測姿勢および計測動作について説明する。
【００６２】
図１６および図１７に示すように、被験者２００は、本体ユニット１００の右側面１０５寄りの部分を右手２１０で把持するととともに、本体ユニット１００から分離された着脱ユニット１１０の右側面１１５寄りの部分を左手２６０で把持しつつ、着脱ユニット１１０の左側面１１６に設けられた正電極１２２を胸部２５０の左側下部に位置する第５肋間前腋窩線上の皮膚にアライメントマーク１１８を目印にして直接接触させる。そして、右手２１０の親指２１１にて本体ユニット１００の正面１０１に設けられた測定ボタン１４２を押下する。測定ボタン１４２を押下した後は、心電波形の計測が終了するまでの間、右手２１０で本体ユニット１００の右側面１０５寄りの部分を把持しかつ左手２６０で着脱ユニット１１０の右側面１１５寄りの部分を把持して着脱ユニット１１０の左側面１１６を胸部２５０の上記位置に押し当てた状態を維持する。
【００６３】
このとき、被験者２００は、図１５に示す状態と同じ状態で本体ユニット１００の右側面１０５寄りの部分を把持することにより、右手２１０の人指し指２１２を負電極１２１および不関電極１２４に接触させた状態とするとともに、図１８に示すように、着脱ユニット１１０の右側面１１５寄りの部分を左手２６０で把持し、着脱ユニット１１０の左側面１１６を胸部２５０の上記位置に押し当てた状態とする。
【００６４】
以上の計測姿勢をとることにより、携帯型心電計１Ａの本体ユニット１００の右側面１０５に位置する負電極１２１および不関電極１２４が被験者２００の右手２１０の人差し指２１２に接触し、着脱ユニット１１０の左側面１１６に位置する正電極１２２が被験者２００の胸部２５０に接触した状態となる。これにより、負電極１２１および不関電極１２４に接触した右手２１０、胸部２５０に非接触の前腕２２０、同じく胸部２５０に非接触の上腕２３０、右肩２４０、正電極１２２が押圧された胸部２５０の順で、被験者２００の身体に心電波形を計測するための回路が構成されるようになる。したがって、上記計測姿勢を維持することによって心電波形の計測が可能になる。
【００６５】
なお、本計測姿勢をとる場合には、図１６および図１７に示すように、本体ユニット１００を把持した右手２１０の前腕２２０を机３００などの台の上に載置することが好ましい。このように右手２１０の前腕２２０を台の上に載せれば、本体ユニット１００を把持する右手に生じる筋電が計測データに重畳することがなくなるため、高精度に心電波形を計測することが可能になる。また、その際に被験者２００が椅子等に着座すれば、体に負担のかからない楽な姿勢が実現できる。また、横臥姿勢にて計測を行なうこととしてもよい。
【００６６】
また、本計測姿勢をとった場合には、本体ユニット１００を胸部２５０から前方に離した位置に配置することができるため、図１３および図１４に示す計測姿勢をとった場合よりも表示部１４８の視認性が向上する。したがって、測定中において表示部１４８にて正しく測定が行なえているか否かを確認することができ、操作ミスに起因するデータ取りの失敗を防止することがより容易に行なえるようになる。
【００６７】
以上において説明した本実施の形態における携帯型心電計１Ａとすることにより、本体ユニット１００に着脱ユニット１１０を合体させた状態と本体ユニット１００から着脱ユニット１１０を分離させた状態の２つの状態のいずれにおいても、負電極１２１および正電極１２２間に生じる電位差を計測することによって心電波形を得ることが可能になる。したがって、状況に応じてこれら２つの計測姿勢からいずれかの計測姿勢を被験者自らが選択できるようになるため、測定すべき自覚症状が発生した場合に素早くかつ容易に心電波形を計測することが可能になる。また、本体ユニット１００から着脱ユニット１１０を分離させた状態においては、動悸や息切れ等の症状が重度で被験者自らが測定することが困難である場合に介護者や医師等に着脱ユニット１１０を補助的に支持してもらうことにより、心電波形を計測することも可能になる。したがって、取扱い性に非常に優れた携帯型心電計とすることができる。
【００６８】
（実施の形態２）
図１９および図２０は、本発明の実施の形態２における携帯型心電計において、本体ユニットと着脱ユニットとを合体させた状態を示す斜視図である。また、図２１は、本実施の形態における携帯型心電計において、本体ユニットを着脱ユニットから分離した状態における着脱ユニットの斜視図である。また、図２２は、本実施の形態における携帯型心電計において、本体ユニットから着脱ユニットを取り外した状態を示す正面図である。なお、上述の実施の形態１における携帯型心電計と同様の部分については図中同一の符号を付し、その説明はここでは繰り返さない。
【００６９】
まず、本実施の形態における携帯型心電計において、本体ユニットに着脱ユニットを合体させた状態の外観構造について説明する。図１９および図２０に示すように、本実施の形態における携帯型心電計１Ｂは、上述の実施の形態１における携帯型心電計１Ａと同様に、第１のユニットとしての本体ユニット１００と、第２のユニットとしての着脱ユニット１１０とを備えている。着脱ユニット１１０は、本体ユニット１００に対して着脱自在に取付けられる。
【００７０】
本実施の形態における携帯型心電計１Ｂの本体ユニット１００は、概ね上述の実施の形態１における携帯型心電計１Ａの本体ユニット１００と同様の構成を有しており、表示部１４８および第１測定ボタン１４２Ａを正面１０１に有しており、第１の電極としての第１負電極１２１と第１不関電極１２４Ａとをその右側面１０５に有している。また、本体ユニット１００の上面１０３および下面１０４には、各種操作ボタン１４１，１４３〜１４６、開閉カバー１３０およびリリースボタン１０７Ａ，１０７Ｂが設けられている。また、着脱ユニット１１０を受け入れる収容部１０８は、本体ユニット１００の左側面１０６側に設けられている（図２２参照）。
【００７１】
図１９ないし図２１に示すように、本実施の形態における携帯型心電計１Ｂの着脱ユニット１１０は、概ね上述の実施の形態１における携帯型心電計１Ａの着脱ユニット１１０と同様の構成を有しているが、その右側面１１５に第３の電極としての第２負電極１２３と第２不関電極１２４Ｂとを有している点においてその構成が相違している。図２１に示すように、着脱ユニット１１０の右側面１１５は、後述する計測姿勢を被験者がとった際に被験者の右手の人差し指がフィットするように滑らかに湾曲した形状となっている。
【００７２】
第２負電極１２３および第２不関電極１２４Ｂは、いずれも導電性部材にて形成されており、本体ユニット１００の内部に設けられた処理回路１５０に接続ケーブル１７０を介して電気的に接続されている。また、第２負電極１２３および第２不関電極１２４Ｂは、着脱ユニット１１０の右側面１１５に設けられた凹部１１５ａ内において、その表面が着脱ユニット１１０の外表面に露出した状態となるように配置されている。なお、第２負電極１２３は、右側面１１５の上面１１３寄りに位置しており、第２不関電極１２４Ｂは、右側面１１５の下面１１４寄りに位置している。
【００７３】
本体ユニット１００に着脱ユニット１１０を合体させた状態においては、本体ユニット１００の左側面１０６と着脱ユニット１１０の右側面１１５とは対面した状態となる。したがって、この状態においては、着脱ユニット１１０の右側面１１５に設けられた第２負電極１２３および第２不関電極１２４Ｂは、いずれも本体ユニット１００の左側面１０６によって覆われることになる。
【００７４】
着脱ユニット１１０の正面１１１には、第２測定ボタン１４２Ｂが設けられている。第２測定ボタン１４２Ｂは、上述の第１測定ボタン１４２Ａと同様に、心電波形の計測を開始させるための操作ボタンである。
【００７５】
次に、本実施の形態における携帯型心電計において、本体ユニットから着脱ユニットを分離させた状態の外観構造について説明する。図２２に示すように、着脱ユニット１１０は、本体ユニット１００から分離可能に構成されており、分離した状態においては、着脱ユニット１１０が本体ユニット１００に設けられた収容部１０８から取り外された状態となる。なお、本実施の形態における携帯型心電計１００Ｂにおいても、上述した実施の形態１における携帯型心電計１Ａと同様に、係止手段としての係止突部１０７ａ，１０７ｂおよび係止凹部１１３ａ，１１４ａによってこれらユニット１００，１１０間の合体状態の維持が図られており、この係止手段の係止を解除するためには、係止突部１０７ａ，１０７ｂに図示しないリンク機構を介して接続されたリリースボタン１０７Ａ，１０７Ｂの操作が必要になる。
【００７６】
本実施の形態における携帯型心電計１Ｂにおいては、本体ユニット１００の収容部１０８の所定位置に、本体ユニット１００の収容部１０８に着脱ユニット１１０が収容されているか否かを検知する検知手段としての検知ボタン１２６が設けられている。検知ボタン１２６は、非収容状態において収容部１０８の壁面から突出して設けられている。検知手段１２６は、図中において矢印Ｄで示す方向に移動可能に構成されているが、付勢バネ等の付勢手段（図示せず）によって常時突出方向に付勢されている。収容部１０８に着脱ユニット１１０が収容された場合には、この検知ボタン１２６が押下されて本体ユニット１００の内部に押し込まれることにより、本体ユニット１００の収容部１０８に着脱ユニット１１０が収容されたことを検知する。なお、検知ボタン１２６は、後述する切替え手段としてのリレー１２７Ａ，１２７Ｂ（図２３参照）に連動している。
【００７７】
本体ユニット１００から着脱ユニット１１０を分離させた状態においては、着脱ユニット１１０の右側面１１５は露出した状態となる。したがって、この状態においては、着脱ユニット１１０の右側面１１５に設けられた第２負電極１２３および第２不関電極１２４Ｂは、いずれも露出した状態となる。
【００７８】
図２３は、本実施の形態における携帯型心電計の機能ブロック図である。次に、この図を参照して、本実施の形態における携帯型心電計の機能ブロックについて説明する。図２３に示すように、本実施の形態における携帯型心電計１Ｂは、電極部１２０、操作部１４０および処理回路１５０を主に備えている。このうち、処理回路１５０の構成は上述の実施の形態１における携帯型心電計１Ａと同様である。
【００７９】
電極部１２０は、上述の第１負電極１２１、第２負電極１２３、正電極１２２、第１不関電極１２４Ａおよび第２不関電極１２４Ｂによって構成される。このうち、第１負電極１２１と第２負電極１２３は、リレー１２７Ａによって択一的にアンプ回路１５１に接続される。また、第１不関電極１２４Ａと第２不関電極１２４Ｂは、リレー１２７Ｂによって択一的にアンプ回路１５１に接続される。これらリレー１２７Ａ，１２７Ｂは、上述したように検知ボタン１２６に連動しており、着脱ユニット１１０が本体ユニット１００に合体された状態においては第１負電極１２１および第１不関電極１２４Ａがアンプ回路１５１に接続され、着脱ユニット１１０が本体ユニット１００から分離された状態においては第２負電極１２３および第２不関電極１２４Ｂがアンプ回路１５１に接続されるように切り替えられる。
【００８０】
操作部１４０は、上述の電源ボタン１４１、第１測定ボタン１４２Ａ、第２測定ボタン１４２Ｂ、メニューボタン１４３、決定ボタン１４４、左スクロールボタン１４５および右スクロールボタン１４６によって構成される。第１測定ボタン１４２Ａおよび第２測定ボタン１４２Ｂは、いずれも心電波形の計測を開始させるための操作ボタンであり、いずれかが押下された場合にＣＰＵ１５４に対して計測開始の指令が出されるように構成されている。
【００８１】
以上において説明した本実施の形態における携帯型心電計１Ｂにおいては、装置本体が本体ユニット１００と着脱ユニット１１０とに分割され、着脱ユニット１１０が本体ユニット１００に対して着脱自在に取付けられる。したがって、本体ユニット１００に対して着脱ユニット１１０が装着した状態と、本体ユニット１００から着脱ユニット１１０が取り外された状態との２状態を取り得ることになる。そして、本実施の形態における携帯型心電計１Ｂにあっては、上述の２状態のいずれにおいても心電波形の計測を可能にしている。
【００８２】
具体的には、図１９および図２０に示す本体ユニット１００に着脱ユニット１１０が合体した状態において第１負電極１２１および不関電極１２４Ａが装置本体の外表面（本体ユニット１００の露出した右側面１０５）において露出した状態となっており、また正電極１２２が装置本体の外表面（着脱ユニット１１０の露出した左側面１１６）において露出した状態となっている。一方、図２２に示す本体ユニット１００から着脱ユニット１１０が分離した状態においては、これらに加え、第２負電極１２３および第２不関電極１２４Ｂが装置本体の外表面（本体ユニット１００から着脱ユニット１１０を分離することによって露出した着脱ユニット１１０の右側面１１５）において露出した状態となっている。したがって、これら第１負電極１２１、正電極１２２および第１不関電極１２４Ａあるいは第２負電極１２３、正電極１２２および第２不関電極１２４Ｂを体表面に接触させることにより、本体ユニット１００に着脱ユニット１１０を合体させた状態と本体ユニット１００から着脱ユニット１１０を分離させた状態のいずれにおいても第１負電極１２１と正電極１２２との間に生じる電位差または第２負電極１２３と正電極１２２との間に生じる電位差を計測することによって心電波形の計測が可能に構成されている。
【００８３】
次に、本実施の形態における携帯型心電計において被験者がとるべき計測姿勢および計測動作について説明する。図２４および図２５は、本実施の形態における携帯型心電計において、本体ユニットから着脱ユニットを分離した状態で心電波形を計測する場合に被験者がとるべき計測姿勢を示す斜視図および上面図であり、図２６は、上記計測姿勢を被験者がとった場合の被験者の右手による着脱ユニットの把持状態を示す図である。
【００８４】
本体ユニット１００に着脱ユニット１１０が合体した状態で心電波形を計測する場合には、被験者は上述の実施の形態１において図１３ないし図１５を用いて説明した計測姿勢と同様の姿勢をとる。すなわち、被験者は、本体ユニット１００に着脱ユニット１１０が合体してなる装置本体の一方端寄りの部分（本体ユニット１００の右側面１０５寄りの部分）を右手２１０で把持しつつ、装置本体の他方端（着脱ユニット１１０の左側面１１６）に設けられた正電極１２２を胸部２５０の左側下部に位置する第５肋間前腋窩線上の皮膚に着脱ユニット１１０に設けられたアライメントマーク１１８を目印にして直接接触させる。そして、右手２１０の親指２１１にて本体ユニット１００の正面１０１に設けられた測定ボタン１４２Ａを押下する。測定ボタン１４２Ａを押下した後は、心電波形の計測が終了するまでの間、右手２１０で装置本体の上記一方端寄りの部分を把持して装置本体の上記他方端を胸部２５０の上記位置に押し当てた状態を維持する。
【００８５】
このとき、被験者２００は、携帯型心電計１Ｂの装置本体の正面が上方を向くように本体ユニット１００を右手２１０で把持するとともに、装置本体の右側面である本体ユニット１００の右側面１０５に右手２１０の人差し指２１２を宛がい、右手２１０の親指２１１を本体ユニット１００の正面１０１に押し当てかつ右手２１０の中指を本体ユニット１００の背面１０２に押し当てて、本体ユニット１００を上下方向から挟み込むように把持する。ここで、右手２１０の人差し指２１２は、本体ユニット１００の湾曲した右側面１０５に沿うように軽く曲げて右側面１０５に設けられた凹部１０５ａ内に挿入し、凹部１０５ａ内に設けられた第１負電極１２１および第１不関電極１２４Ａに接触させた状態とする。
【００８６】
以上の計測姿勢をとることにより、携帯型心電計１Ｂの本体ユニット１００の右側面１０５に位置する第１負電極１２１および第１不関電極１２４Ａが被験者２００の右手２１０の人差し指２１２に接触し、着脱ユニット１１０の左側面１１６に位置する正電極１２２が被験者２００の胸部２５０に接触した状態となる。これにより、第１負電極１２１および第１不関電極１２４Ａに接触した右手２１０、胸部２５０に非接触の前腕２２０、同じく胸部２５０に非接触の上腕２３０、右肩２４０、正電極１２２が押圧された胸部２５０の順で、被験者２００の身体に心電波形を計測するための回路が構成されるようになる。
【００８７】
一方、本体ユニット１００から着脱ユニット１１０を分離した状態で心電波形を計測する場合には、図２４および図２５に示すように、被験者２００は、本体ユニット１００を机３００等の台の上に載置し、着脱ユニット１１０の右側面１１５寄りの部分を右手２１０で把持しつつ、着脱ユニット１１０の左側面１１６に設けられた正電極１２２を胸部２５０の左側下部に位置する第５肋間前腋窩線上の皮膚にアライメントマーク１１８を目印にして直接接触させる。そして、右手２１０の親指２１１にて着脱ユニット１１０の正面１１１に設けられた測定ボタン１４２Ｂを押下する。測定ボタン１４２Ｂを押下した後は、心電波形の計測が終了するまでの間、右手２１０で着脱ユニット１１０の右側面１１５寄りの部分を把持して着脱ユニット１１０の左側面１１６を胸部２５０の上記位置に押し当てた状態を維持する。
【００８８】
このとき、図２６に示すように、被験者２００は、着脱ユニット１１０の右側面１１５寄りの部分を右手２１０で把持するとともに、右側面１１５に右手２１０の人差し指２１２を宛がい、右手２１０の親指２１１を着脱ユニット１１０の正面１１１に押し当てかつ右手２１０の中指を着脱ユニット１１０の背面１１２に押し当てて、着脱ユニット１１０を上下方向から挟み込むように把持する。ここで、右手２１０の人差し指２１２は、着脱ユニット１１０の湾曲した右側面１１５に沿うように軽く曲げて右側面１１５に設けられた凹部１１５ａ内に挿入し、凹部１１５ａ内に設けられた第２負電極１２３および第２不関電極１２４Ｂに接触させた状態とする。
【００８９】
以上の計測姿勢をとることにより、携帯型心電計１Ａの着脱ユニット１１０の右側面１１５に位置する第２負電極１２３および第２不関電極１２４Ｂが被験者２００の右手２１０の人差し指２１２に接触し、着脱ユニット１１０の左側面１１６に位置する正電極１２２が被験者２００の胸部２５０に接触した状態となる。これにより、第２負電極１２３および第２不関電極１２４Ｂに接触した右手２１０、胸部２５０に非接触の前腕２２０、同じく胸部２５０に非接触の上腕２３０、右肩２４０、正電極１２２が押圧された胸部２５０の順で、被験者２００の身体に心電波形を計測するための回路が構成されるようになる。なお、上記図２４および図２５においては、携帯型心電計１Ｂの本体ユニット１００を机３００上に載置した場合を図示しているが、左手で本体ユニット１００を把持して計測を行なってもよいし、あるいは横臥姿勢にて計測を行なってもよい。
【００９０】
以上において説明した本実施の形態における携帯型心電計１Ｂとすることにより、本体ユニット１００に着脱ユニット１１０を合体させた状態においては第１負電極１２１および正電極１２２間に生じる電位差を計測することによって心電波形を得ることが可能となり、本体ユニット１００から着脱ユニット１１０を分離させた状態においては、第２負電極１２３および正電極１２２間に生じる電位差を計測することによって心電波形を得ることが可能になる。したがって、状況に応じてこれら２つの計測姿勢からいずれかの計測姿勢を被験者自らが選択できるようになるため、測定すべき自覚症状が発生した場合に素早くかつ容易に心電波形を計測することが可能になる。したがって、取扱い性に非常に優れた携帯型心電計とすることができる。また、本体ユニット１００から着脱ユニット１１０を分離させた状態にて計測を行なう場合に右手２１０で支持することとなる着脱ユニット１１０は、本体ユニット１００に対して大幅に小型・軽量化できるため、上記計測姿勢をとった場合の被験者への負担を大幅に軽減することもできる。したがって、安定した心電波形の計測が可能になる。
【００９１】
また、本実施の形態における携帯型心電計１Ｂにおいては、本体ユニット１００と着脱ユニット１１０とが合体状態にあるか分離状態にあるかを検出する検出ボタン１２６に連動してリレー１２７Ａ，１２７Ｂによって第１負電極１２１および第３負電極１２３のうち心電波形の計測に利用しない方の電極が本体ユニット１００の内部に設けられた処理回路から切り離されるように構成されている。そのため、測定データにノイズが重畳することが防止されて高精度の測定が可能になるとともに、使用電極の切替え作業を被験者に強いることもなくなる。したがって、取扱い性に優れかつ使用電極の切替えが確実に行なわれる携帯型心電計とすることができる。
【００９２】
さらに、本実施の形態における携帯型心電計１Ｂにおいては、測定ボタンが本体ユニット１００と着脱ユニット１１０の両方に設けられている。そのため、それぞれの計測姿勢において操作し易い方の測定ボタンを被験者自らが選択して操作することが可能になり、取扱い性に優れた携帯型心電計とすることができる。
【００９３】
なお、本実施の形態においては、本体ユニット１００と着脱ユニット１１０とが合体状態にあるか分離状態にあるかを検出する検出ボタン１２６に連動して切替え手段であるリレー１２７Ａ，１２７Ｂが動作するように構成した場合を例示したが、検出ボタン１２６を廃止し、別途切替え手段としての手動で操作可能な切替えボタンを携帯型心電計の装置本体に設けることとしてもよい。このように構成すれば、本体ユニット１００から着脱ユニット１１０を分離させた状態において、着脱ユニット１１０に設けられた第２負電極１２３を使用せずに本体ユニット１００に設けられた第１負電極１２１を使用して心電波形の計測が行なえるようになる。すなわち、このように構成すれば、上述の実施の形態１において図１６ないし図１８を用いて説明した計測姿勢をとることも可能になる。したがって、その場合には、介護者や医師等に着脱ユニット１１０を補助的に支持してもらって心電波形を計測することも可能になる。
【００９４】
（実施の形態３）
図２７および図２８は、本発明の実施の形態３における携帯型心電計の斜視図であり、図２７は、本体ユニットに着脱ユニットが合体した状態を示す図であり、図２８は、本体ユニットから着脱ユニットが分離した状態を示す図である。なお、上述の実施の形態２と同様の部分については図中同一の符号を付し、その説明はここでは繰り返さない。
【００９５】
図２７および図２８に示すように、本実施の形態における携帯型心電計１Ｃは、上述の実施の形態２における携帯型心電計１Ｂと同様に、第１のユニットとしての本体ユニット１００と、第２のユニットとしての着脱ユニット１１０とを備えている。着脱ユニット１１０は、本体ユニット１００に対して着脱自在に取付けられる。
【００９６】
本実施の形態における携帯型心電計１Ｃの本体ユニット１００は、概ね上述の実施の形態２における携帯型心電計１Ｂの本体ユニット１００と同様の構成を有しており、表示部１４８および第１測定ボタン１４２Ａを正面１０１に有しており、第１の電極としての第１負電極１２１と第１不関電極１２４Ａとをその右側面１０５に有している。また、本体ユニット１００の上面１０３および下面１０４には、各種操作ボタン１４１，１４３〜１４６、開閉カバー１３０およびリリースボタン１０７Ａ，１０７Ｂが設けられている。また、着脱ユニット１１０を受け入れる収容部１０８は、本体ユニット１００の左側面１０６側に設けられており、収容部１０８に対応する部分の正面１０１には、後述する着脱ユニット１１０の把持部１１１ａが挿入可能な切り欠き部１０９が設けられている。
【００９７】
一方、着脱ユニット１１０は、正面１１１から外側に向かって突出して設けられた把持部１１１ａを有している。この把持部１１１ａは、被験者が着脱ユニット１１０を本体ユニット１００から分離して使用する際に被験者が把持するための部分である。着脱ユニット１１０の左側面１１６には、第２の電極としての正電極１２２が設けられており、図示しない着脱ユニット１１０の背面（上面１１１とは反対側の面）にも図示しない正電極が設けられている。また、着脱ユニット１１０の把持部１１１ａが設けられていない部分の正面１１１には、第３の電極としての第２負電極１２３と第２不関電極１２４Ｂとが設けられている。また、把持部１１１ａの所定位置には、第２測定ボタン１４２Ｂが配置されている。
【００９８】
図２７に示すように、本体ユニット１００に着脱ユニット１１０を合体させた状態においては、着脱ユニット１１０の把持部１１１ａが本体ユニット１００の切り欠き部１０９に挿入されることにより、着脱ユニット１１０が本体ユニット１００の収容部１０８に収容される。この状態においては、着脱ユニット１１０の正面１１１に設けられた第２負電極１２３および第２不関電極１２４Ｂは、いずれも本体ユニット１００の正面１０１によって覆われることになる。したがって、本体ユニット１００に着脱ユニット１１０を合体させた状態にて心電波形を計測する場合には、右手で装置本体の一方端に位置する本体ユニット１００の右側面１０５寄りの部分を把持して本体ユニット１００の右側面１０５に設けられた第１負電極１２１および第１不関電極１２４Ａに右手の人差し指を接触させるとともに、装置本体の他方端に位置する着脱ユニット１１０の左側面１１６に設けられた正電極１２２を胸部の所定位置に押し当てた状態とすることにより、心電波形の計測が可能になる。
【００９９】
一方、図２８に示すように、本体ユニット１００から着脱ユニット１１０を分離させた状態においては、着脱ユニット１１０の正面１１１は露出した状態となり、着脱ユニット１１０の正面１１１に設けられた第２負電極１２３および第２不関電極１２４Ｂは、いずれも露出した状態となる。したがって、着脱ユニット１１０の把持部１１１ａを右手で把持して着脱ユニット１１０の正面１１１に設けられた第２負電極１２３および第２不関電極１２４Ｂに右手を接触させるとともに、着脱ユニット１１０の背面に設けられた正電極を胸部の所定位置に押し当てた状態とすることにより、心電波形の計測が可能になる。
【０１００】
以上のように、着脱ユニット１１０の形状を変更したり、あるいは着脱ユニット１１０に設けられる第２負電極１２３や第２不関電極１２４の形成位置を変更した場合にも本発明の適用は可能である。したがって、着脱ユニット１１０の形状をペン型、マウス型、聴診器型等種々の形状に変更した場合にも、その電極形成位置を種々変更することによって本発明を適用することが可能である。
【０１０１】
（実施の形態４）
図２９は、本発明の実施の形態４における携帯型心電計において、本体ユニットに着脱ユニットが合体した状態を示す斜視図である。また、図３０は、本実施の形態における携帯型心電計において、本体ユニットに着脱ユニットが合体した状態を示す背面図である。また、図３１は、本実施の形態における携帯型心電計において、本体ユニットから着脱ユニットが分離した状態を示す斜視図である。なお、上述の実施の形態１と同様の部分については図中同一の符号を付し、その説明はここでは繰り返さない。
【０１０２】
図２９ないし図３１に示すように、本実施の形態における携帯型心電計１Ｄは、上述の実施の形態１における携帯型心電計１Ａと同様に、第１のユニットとしての本体ユニット１００と、第２のユニットとしての着脱ユニット１１０とを備えており、さらに生体への装着手段としてのバンド１９０を備えている。バンド１９０は、被験者の右手の手首に巻き付けるための巻き付け部材であり、図３０に示すように本体ユニット１００の背面１０２に設けられた開口１０２ａ〜１０２ｄに挿通されることによって本体ユニット１００に固定されている。また、着脱ユニット１１０は、図３１に示すように、本体ユニット１００に対して着脱自在に取付けられる。
【０１０３】
本実施の形態における携帯型心電計１Ｄの本体ユニット１００および着脱ユニット１１０は、概ね上述の実施の形態１における携帯型心電計１Ａの本体ユニット１００および着脱ユニット１１０と同様の構成を有している。すなわち、本体ユニット１００の正面１０１には、表示部１４８および第１測定ボタン１４２Ａが設けられており、本体ユニット１００の上面１０３および下面１０４には、各種操作ボタン１４１，１４３〜１４６、開閉カバー１３０およびリリースボタン１０７Ａ，１０７Ｂが設けられている。また、着脱ユニット１１０を受け入れる収容部１０８は、本体ユニット１００の左側面１０６側に設けられている。一方、着脱ユニット１１０の正面１１１には、第２測定ボタン１４２Ｂが設けられており、着脱ユニット１１０の左側面１１６には、第２の電極としての正電極１２２が設けられている。
【０１０４】
上述の実施の形態１における携帯型心電計１Ａにおいては、第１の電極としての負電極１２１と不関電極１２４とが本体ユニット１００の右側面１０５に設けられていたが、本実施の形態における携帯型心電計１Ｄにおいては、第１の電極としての負電極１２１と不関電極１２４とが、図３０に示すように本体ユニット１００の背面１０２に設けられている。この本体ユニット１００の背面１０２に設けられた負電極１２１と不関電極１２４とに対応する位置のバンド１９０には開口１９１が設けられており、負電極１２１と不関電極１２４は常時露出した状態に維持されている。
【０１０５】
以上のように構成することにより、被験者が常時携帯型心電計を右手の手首に装着しておくことができるため、携行性に優れた携帯型心電計とできる。また、バンド１９０の開口１９１を介して負電極１２１および不関電極１２４が常時被験者の右手の手首に接触した状態にあるため、測定すべき自覚症状が発生した場合に着脱ユニット１１０を本体ユニット１００から取り外して速やかに計測姿勢をとることが可能になる。したがって、取扱い性に優れた携帯型心電計とすることができる。
【０１０６】
以上においては、本発明の実施の形態に基づいて本発明について具体的に説明を行なったが、本発明は、今回開示した上記各実施の形態に制限されるものではない。すなわち、本発明の技術的範囲は特許請求の範囲によって画定され、また特許請求の範囲の記載と均等の意味および範囲内でのすべての変更を含むものである。
【図面の簡単な説明】
【０１０７】
【図１】本発明の実施の形態１における携帯型心電計において、本体ユニットに着脱ユニットを合体させた状態を示す斜視図である。
【図２】本発明の実施の形態１における携帯型心電計において、本体ユニットに着脱ユニットを合体させた状態を示す斜視図である。
【図３】本発明の実施の形態１における携帯型心電計において、本体ユニットに着脱ユニットを合体させた状態を示す正面図である。
【図４】本発明の実施の形態１における携帯型心電計において、本体ユニットに着脱ユニットを合体させた状態を示す上面図である。
【図５】本発明の実施の形態１における携帯型心電計において、本体ユニットに着脱ユニットを合体させた状態を示す下面図である。
【図６】本発明の実施の形態１における携帯型心電計において、本体ユニットに着脱ユニットを合体させた状態を示す右側面図である。
【図７】本発明の実施の形態１における携帯型心電計において、本体ユニットに着脱ユニットを合体させた状態を示す左側面図である。
【図８】本発明の実施の形態１における携帯型心電計において、本体ユニットから着脱ユニットを分離させた状態を示す正面図である。
【図９】本発明の実施の形態１における携帯型心電計の機能ブロック図である。
【図１０】本発明の実施の形態１における携帯型心電計で行なわれる処理の流れを示すフローチャートである。
【図１１】本発明の実施の形態１における携帯型心電計の表示部における計測結果の表示例を示す図である。
【図１２】本発明の実施の形態１における携帯型心電計の表示部における計測結果の表示例を示す図である。
【図１３】本発明の実施の形態１における携帯型心電計において、本体ユニットに着脱ユニットが合体した状態で心電波形を計測する場合に被験者がとるべき計測姿勢を示す図である。
【図１４】本発明の実施の形態１における携帯型心電計において、本体ユニットに着脱ユニットが合体した状態で心電波形を計測する場合に被験者がとるべき計測姿勢を示す図である。
【図１５】図１３および図１４に示す計測姿勢を被験者がとった場合の被験者の右手による把持状態を示す図である。
【図１６】本発明の実施の形態１における携帯型心電計において、本体ユニットから着脱ユニットを分離した状態で心電波形を計測する場合に被験者がとるべき計測姿勢を示す図である。
【図１７】本発明の実施の形態１における携帯型心電計において、本体ユニットから着脱ユニットを分離した状態で心電波形を計測する場合に被験者がとるべき計測姿勢を示す図である。
【図１８】図１６および図１７に示す計測姿勢を被験者がとった場合の被験者の左手による把持状態を示す図である。
【図１９】本発明の実施の形態２における携帯型心電計において、本体ユニットに着脱ユニットを合体させた状態を示す斜視図である。
【図２０】本発明の実施の形態２における携帯型心電計において、本体ユニットに着脱ユニットを合体させた状態を示す斜視図である。
【図２１】本発明の実施の形態２における携帯型心電計において、本体ユニットを着脱ユニットから分離した状態における着脱ユニットの斜視図である。
【図２２】本発明の実施の形態２における携帯型心電計において、本体ユニットから着脱ユニットを分離させた状態を示す正面図である。
【図２３】本発明の実施の形態２における携帯型心電計の機能ブロック図である。
【図２４】本発明の実施の形態２における携帯型心電計において、本体ユニットから着脱ユニットを分離した状態で心電波形を計測する場合に被験者がとるべき計測姿勢を示す図である。
【図２５】本発明の実施の形態２における携帯型心電計において、本体ユニットから着脱ユニットを分離した状態で心電波形を計測する場合に被験者がとるべき計測姿勢を示す図である。
【図２６】図２４および図２５に示す計測姿勢を被験者がとった場合の被験者の右手による把持状態を示す図である。
【図２７】本発明の実施の形態３における携帯型心電計において、本体ユニットに着脱ユニットを合体させた状態を示す斜視図である。
【図２８】本発明の実施の形態３における携帯型心電計において、本体ユニットから着脱ユニットを分離させた状態を示す斜視図である。
【図２９】本発明の実施の形態４における携帯型心電計において、本体ユニットに着脱ユニットを合体させた状態を示す斜視図である。
【図３０】本発明の実施の形態４における携帯型心電計において、本体ユニットに着脱ユニットを合体させた状態を示す背面図である。
【図３１】本発明の実施の形態４における携帯型心電計において、本体ユニットから着脱ユニットを分離させた状態を示す斜視図である。
【符号の説明】
【０１０８】
１Ａ〜１Ｄ  携帯型心電計、１００  本体ユニット、１０１  前面、１０２  背面、１０２ａ〜１０２ｄ  開口、１０３  上面、１０４  下面、１０５  右側面、１０５ａ  凹部、１０６  左側面、１０７Ａ，１０７Ｂ  リリースボタン、１０７ａ，１０７ｂ  係止突部、１０８  収容部、１０９  切り欠き部、１１０  着脱ユニット、１１１  前面、１１２  背面、１１３  上面、１１３ａ  止凹部、１１４  下面、１１４ａ  係止凹部、１１５  右側面、１１６  左側面、１１８  アライメントマーク、１２０  電極部、１２１，１２３  負電極、１２２  正電極、１２４，１２４Ａ，１２４Ｂ  不関電極、１２６  着脱検知センサ、１２７Ａ，１２７Ｂ  スイッチ、１３０  開閉カバー、１３２  外部記憶媒体、１４０  操作部、１４１  電源ボタン、１４２，１４２Ａ，１４２Ｂ  測定ボタン、１４３  メニューボタン、１４４  決定ボタン、１４５  左スクロールボタン、１４６  右スクロールボタン、１４８  表示部、１５０  処理回路、１５１  アンプ回路、１５２  フィルタ回路、１５３  Ａ／Ｄコンバータ、１５４  ＣＰＵ、１５５  メモリ、１５６  タイマ、１６０  電源、１７０  接続ケーブル、１８０  リール、１９０  バンド、１９１  開口、２００  被験者、２１０  右手、２１１  親指、２１２  人差し指、２２０  前腕、２３０  上腕、２４０  右肩、２５０  胸部、２６０  左手、２６１  親指、２６２  人差し指、３００  机。
【図１】
2007209609.tif 000003
【図２】
2007209609.tif 000004
【図３】
2007209609.tif 000005
【図４】
2007209609.tif 000006
【図５】
2007209609.tif 000007
【図６】
2007209609.tif 000008
【図７】
2007209609.tif 000009
【図８】
2007209609.tif 000010
【図９】
2007209609.tif 000011
【図１０】
2007209609.tif 000012
【図１１】
2007209609.tif 000013
【図１２】
2007209609.tif 000014
【図１３】
2007209609.tif 000015
【図１４】
2007209609.tif 000016
【図１５】
2007209609.tif 000017
【図１６】
2007209609.tif 000018
【図１７】
2007209609.tif 000019
【図１８】
2007209609.tif 000020
【図１９】
2007209609.tif 000021
【図２０】
2007209609.tif 000022
【図２１】
2007209609.tif 000023
【図２２】
2007209609.tif 000024
【図２３】
2007209609.tif 000025
【図２４】
2007209609.tif 000026
【図２５】
2007209609.tif 000027
【図２６】
2007209609.tif 000028
【図２７】
2007209609.tif 000029
【図２８】
2007209609.tif 000030
【図２９】
2007209609.tif 000031
【図３０】
2007209609.tif 000032
【図３１】
2007209609.tif 000033